【手続補正書】
【提出日】平成17年10月25日(2005.10.25)
【手続補正１】
【補正対象書類名】明細書
【補正対象項目名】特許請求の範囲
【補正方法】変更
【補正の内容】
【特許請求の範囲】
【請求項１】
インク滴を吐出するノズルを列状に配列したノズルプレートと、上記ノズルに連通する複数の圧力発生室と、該圧力発生室の一面に形成された振動板と、上記複数の圧力発生室にインク供給路を介してインクを供給するための共通インク室と、上記振動板を変位させる圧電素子とを備え、上記列状に配列されたノズル列の一方の側に第１の圧力発生室を配置し、他方の側に第２の圧力発生室を配置すると共に、上記第１及び第２の圧力発生室の中心線がほぼ一致するように、上記ノズル列に対して対向するように配置し、前記複数の圧力発生室から前記ノズルに向かう連通流路は、前記圧力室の幅よりも細くなるように形成したインクジェット式記録ヘッド及びそれを用いたインクジェット式記録装置において、前記連通流路の一部が、前記圧力室の側壁面より外側に位置するように形成したことを特徴とするインクジェット式記録ヘッド及びそれを用いたインクジェット式記録装置。
【請求項２】
インク滴を吐出するノズルを列状に配列したノズルプレートと、上記ノズルに連通する複数の圧力発生室と、該圧力発生室の一面に形成された振動板と、上記複数の圧力発生室にインク供給路を介してインクを供給するための共通インク室と、上記振動板を変位させる圧電素子とを備え、上記列状に配列されたノズル列の一方の側に第１の圧力発生室を配置し、他方の側に第２の圧力発生室を配置すると共に、上記第１及び第２の圧力発生室の中心線がほぼ一致するように、上記ノズル列に対して対向するように配置し、前記複数の圧力発生室から前記ノズルに向かう連通流路は、前記圧力室の幅よりも細くなるように形成したインクジェット式記録ヘッド及びそれを用いたインクジェット式記録装置において、隣接するノズルと前記連通流路との間の隔壁の剛性は、隣接する圧力発生室の隔壁の剛性より小さいことを特徴とするインクジェット式記録ヘッド及びそれを用いたインクジェット式記録装置。
【請求項３】
インク滴を吐出するノズルを列状に配列したノズルプレートと、上記ノズルに連通する複数の圧力発生室と、該圧力発生室の一面に形成された振動板と、上記複数の圧力発生室にインク供給路を介してインクを供給するための共通インク室と、上記振動板を変位させる圧電素子とを備え、上記列状に配列されたノズル列の一方の側に第１の圧力発生室を配置し、他方の側に第２の圧力発生室を配置すると共に、上記第１及び第２の圧力発生室の中心線がほぼ一致するように、上記ノズル列に対して対向するように配置したインクジェット式記録ヘッド及びそれを用いたインクジェット式記録装置において、上記ヘッドは、列状にノズルが配設されたヘッドを固定して印刷するライン方式の印刷ヘッドであって、ノズルの総数をＮ、ノズル間の距離をＮｐ(インチ)、印刷解像度をＤｐ(ドット／インチ)、前記ヘッドの幅をＷｈ（インチ）とすると、
Ｗｈ＜ＳＩＮ｛ＡＣＯＳ（Ｎｐ／Ｄｐ）｝×｛（１／Ｄｐ）×（Ｎ−１）＋１／Ｎｐ｝
であることを特徴とするインクジェット式記録ヘッド及びそれを用いたインクジェット式記録装置。
【請求項４】
請求項１〜３の何れか１項において、前記第１及び第２の圧力発生室の中心線間の距離をＣｐ、前記ノズル間の距離をＮｐとしたとき、ＣｐはＮｐの約２倍に選定されていることを特徴とするインクジェット式記録ヘッド及びそれを用いたインクジェット式記録装置。
【請求項５】
請求項１〜３の何れか１項において、前記圧電素子は、圧電材料と導伝材料を交互に積層してなる積層圧電素子であって、該圧電素子の一端が導電性を有する少なくとも１つのベース基板に固定されていることを特徴とするインクジェット式記録ヘッド及びそれを用いたインクジェット式記録装置。
【請求項６】
請求項１〜３の何れか１項において、前記圧電素子は、それぞれを前記ベース基板に固定した後に、櫛状に分割することにより構成されることを特徴とするインクジェット式記録ヘッド及びそれを用いたインクジェット式記録装置。
【請求項７】
請求項１〜３の何れか１項において前記圧力発生室は、シリコンをエッチング加工して形成されたことを特徴とするインクジェット式記録ヘッドまたはインクジェット式記録装置。
【手続補正２】
【補正対象書類名】明細書
【補正対象項目名】００１６
【補正方法】変更
【補正の内容】
【００１６】
【課題を解決するための手段】
本発明は上記の目的を達成するために、インク滴を吐出するノズルを列状に配列したノズルプレートと、上記ノズルに連通する複数の圧力発生室と、該圧力発生室の一面に形成された振動板と、上記複数の圧力発生室にインク供給路を介してインクを供給するための共通インク室と、上記振動板を変位させる圧電素子とを備え、上記列状に配列されたノズル列の一方の側に第１の圧力発生室を配置し、他方の側に第２の圧力発生室を配置すると共に、上記第１及び第２の圧力発生室の中心線がほぼ一致するように、上記ノズル列に対して対向するように配置し、前記複数の圧力発生室から前記ノズルに向かう連通流路は、前記圧力室の幅よりも細くなるように形成したインクジェット式記録ヘッド及びそれを用いたインクジェット式記録装置において、前記連通流路の一部が、前記圧力室の側壁面より外側に位置するように形成したことに一つの特徴がある。
【手続補正３】
【補正対象書類名】明細書
【補正対象項目名】００１７
【補正方法】変更
【補正の内容】
【００１７】
本発明の他の特徴は、インク滴を吐出するノズルを列状に配列したノズルプレートと、上記ノズルに連通する複数の圧力発生室と、該圧力発生室の一面に形成された振動板と、上記複数の圧力発生室にインク供給路を介してインクを供給するための共通インク室と、上記振動板を変位させる圧電素子とを備え、上記列状に配列されたノズル列の一方の側に第１の圧力発生室を配置し、他方の側に第２の圧力発生室を配置すると共に、上記第１及び第２の圧力発生室の中心線がほぼ一致するように、上記ノズル列に対して対向するように配置し、前記複数の圧力発生室から前記ノズルに向かう連通流路は、前記圧力室の幅よりも細くなるように形成したインクジェット式記録ヘッド及びそれを用いたインクジェット式記録装置において、隣接するノズルと前記連通流路との間の隔壁の剛性は、隣接する圧力発生室の隔壁の剛性より小さくしたことにある。
【手続補正４】
【補正対象書類名】明細書
【補正対象項目名】００１８
【補正方法】変更
【補正の内容】
【００１８】
本発明の他の特徴は、インク滴を吐出するノズルを列状に配列したノズルプレートと、上記ノズルに連通する複数の圧力発生室と、該圧力発生室の一面に形成された振動板と、上記複数の圧力発生室にインク供給路を介してインクを供給するための共通インク室と、上記振動板を変位させる圧電素子とを備え、上記列状に配列されたノズル列の一方の側に第１の圧力発生室を配置し、他方の側に第２の圧力発生室を配置すると共に、上記第１及び第２の圧力発生室の中心線がほぼ一致するように、上記ノズル列に対して対向するように配置したインクジェット式記録ヘッド及びそれを用いたインクジェット式記録装置において、上記ヘッドは、列状にノズルが配設されたヘッドを固定して印刷するライン方式の印刷ヘッドであって、ノズルの総数をＮ、ノズル間の距離をＮｐ(インチ)、印刷解像度をＤｐ(ドット／インチ)、前記ヘッドの幅をＷｈ（インチ）とすると、
Ｗｈ＜ＳＩＮ｛ＡＣＯＳ（Ｎｐ／Ｄｐ）｝×｛（１／Ｄｐ）×（Ｎ−１）＋１／Ｎｐ｝
の式を満たすようにしたことにある。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】